(57)【要約】【課題】本発明はイーサネット受動型光ネットワークの下がりフロー制御情報を伝達するフロー制御情報伝達方法を提供する。【解決手段】該方法は、光ライン端末の上りポートに輻輳が発生したか否かを検出して、検出結果に基づいてフロー制御マークを設定するステップS402と、前記フロー制御マークを周期的にチェックして、チェック結果に基づいて対応する処理を行うステップS404と、を含む。従って、本発明によって、イーサネット受動型光ネットワークのネットワーク設備は光ライン端末から光ネットワークユニットへの下がりフロー制御情報の伝達をサポートすることができ、イーサネット受動型光ネットワーク機器の機能を強化すると共に、イーサネット受動型光ネットワークの効率及び柔軟性を向上する。
2010517339.tif 000002
【特許請求の範囲】
【請求項１】
イーサネット受動型光ネットワークの下がりフロー制御情報を伝達する方法であって、
光ライン端末の上りポートに輻輳が発生したか否かを検出して、その検出結果に基づいてフロー制御マークを設定するステップS402と、
前記フロー制御マークを周期的にチェックして、チェック結果に基づいて対応する処理を行うステップS404と、
を含むことを特徴とするフロー制御情報伝達方法。
【請求項２】
請求項１において、
前記ステップS402は、
ポートのキャッシュキューの占有率をリアルタイムに算出して、
前記ポートのキャッシュキューの占有率が予定の閾値を超えるか否かを判断して、
超えていると判断された場合、前記フロー制御マークを設定し、そうでない場合、前記フロー制御マークをクリアする、ステップをさらに含むことを特徴するフロー制御情報伝達方法。
【請求項３】
請求項１において、
前記ステップS402は、
前記上りポート又はネットワーク側のインターフェースによって受信したフロー制御フレームを周期的に統計して、
直前の周期に比べて、前記フロー制御フレームが増えていると、前記下がりフロー制御マークを1に設定し、反対に、連続する予定数の周期間において、前記フロー制御フレームが増えていないと、前記フロー制御マークをクリアして、0に設定する、ステップをさらに含むことを特徴とするフロー制御情報伝達方法。
【請求項４】
請求項２または３において、
前記フロー制御マークは1bitのレジスタによって実現されることを特徴とするフロー制御情報伝達方法。
【請求項５】
請求項２または３において、
前記フロー制御マークはソフトウェアの変化量によって実現されることを特徴とするフロー制御情報伝達方法。
【請求項６】
請求項１において、
前記ステップS404において、現在の前記フロー制御マークが1であるとチェックされた場合、前記対応する処理は、具体的に、サービスレベルアグリーメントパラメーターに対して動的な削減を行うことであることを特徴とするフロー制御情報伝達方法。
【請求項７】
請求項１において、
前記ステップS404において、前記フロー制御マークが0であるとチェックされた場合、前記対応する処理は、
前に保存したフロー制御マークを読取って、
前記前に保存したフロー制御マークが1であると、前記サービスレベルアグリーメントパラメーターに対して動的な回復を行い、そうでない場合、如何なる処理も行わないことであることを特徴とするフロー制御情報伝達方法。
【請求項８】
請求項７において、
前記動的な削減は、
前記上りポートと関連付けられた全ての光ネットワークユニットに優先順位を付けて、前記優先順に基づいて高優先順位チームと低優先順位チームの二つのチームに分けると共に、前記全ての光ネットワークユニットのサービスレベルアグリーメントの最大帯域の合計が前記上りポートの利用可能な帯域より小さいように保証するステップAと、
この時の前記フロー制御マークが1であると、前記低優先順位チーム中の光ネットワークユニットのサービスレベルアグリーメントパラメーターにおける最大帯域を保証帯域まで減らして、1周期を延長するステップBと、
この時の前記フロー制御マークが1であると、第1の予定アルゴリズムに従って、前記高優先順位チーム中の光ネットワークユニットのサービスレベルアグリーメントパラメーターの最大帯域を減らして、1周期を延長するステップCと、
前記フロー制御マークが0に設定されるまで、或いは全ての光ネットワークユニットの最大帯域が保証帯域と同じになるまで、ステップCを繰り返すステップDと、を含むことを特徴とするフロー制御情報伝達方法。
【請求項９】
請求項８において、
前記第1の予定アルゴリズムは、
最大帯域＝現在最大帯域−（元の最大帯域−保証帯域）×X％（Xはセット可能な値）である、ことを特徴とするフロー制御情報伝達方法。
【請求項１０】
請求項８において、
前記動的な回復は、
前記フロー制御マークが0であるとチェックされた場合、前記高優先順位チーム中の光ネットワークユニットのサービスレベルアグリーメントパラメーターにおける最大帯域を、動的な調整を行う前の初期値に回復して、1周期を延長し、
この時の前記フロー制御マークが依然として0であると、第2の予定アルゴリズムに従って、前記低優先順位チーム中の光ネットワークユニットのサービスレベルアグリーメントパラメーターにおける最大帯域を増やして、1周期を延長し、
前記フロー制御マークが1になるまで、或いは前記低優先順位の光ネットワークユニットのサービスレベルアグリーメントパラメーターにおける最大帯域が前記動的な調整を行う前の初期値に回復するまで、以上のステップを繰り返すことである、ことを特徴とするフロー制御情報伝達方法。
【請求項１１】
請求項１０において、
前記第2の予定アルゴリズムは、
最大帯域＝現在最大帯域+（元の最大帯域-保証帯域）×X％（Xは、セット可能な値）である、ことを特徴とするフロー制御情報伝達方法。
【発明の詳細な説明】
【技術分野】
【０００１】
本発明は、受動型光ネットワークシステム（XPON）に関し、より具体的には、イーサネット受動型光ネットワーク（EPON）における下がりフロー制御情報を伝達する下がりフロー制御情報の伝達方法に関するものである。
【背景技術】
【０００２】
EPON技術は、新たに発展してきた、イーサネットに基づくワイドバンド受動型光ネットワーク技術である。その本質は、アクセスネットワーク分野におけるイーサネットの伸展である。EPONは、物理的なトポロジーにおいてはポイントツーマルチポイントの構造であるが、論理的には、ポイントツーポイントの構造である。それの下がりデータの転送は放送方式で、全ての光ネットワークユニット（ONU）は、いずれもその物理的なPON（受動型光ネットワーク）ポートを介して全ての下がりデータフレームを受信することができる。しかし、上りは、時分割多元接続（TDMA）方式で、各ONUは、上りデータを光ライン端末（OLT）によって割当られた上り認可タイムスロット内においてのみ送信することができる。OLTにおいてONUに上りタイムスロットを割当る機能ブロックを動的帯域割当（DBA）と称する。DBAは、ONUに上り帯域を割当てる際にONUから報告されたキュー（queue）状態を考慮する以外、ネットワークマネジメントによりONUに配置したサービスレベルアグリーメント（SLA）パラメーターも考慮しなければならない。これらのパラメーターの内容は、DBAのアルゴリズムの類型によって異なるが、少なくとも最大帯域と保証帯域の二つのパラメーターを含むはずである。
【０００３】
コストを下げ、アクセス層の業務転送量を控えめにするための便利を図るように、従来、多数のOLTは輻輳（convergence）型の構造、即ち、OLTの上りポートの帯域がすべてのOLT PONポートの上り帯域の合計より小さい構造を用いる。該構造において、全てのONUから送信される上り転送量が上りポートの利用可能な帯域を越える場合、必ず輻輳が発生する。しかし、従来のOLT機器は、下がりフロー制御情報をONUにバックプレッシャー（back pressure）する機能を有しない。輻輳が発生した後、OLTは、ONUから受信したデータフレームを簡単に一定の割合で廃棄する。しかし、アクセスネットワークにおける多くのネットサーフィン（net surfing）業務はTCP業務で、ネットワークの輻輳に対する感度が高い。廃棄された業務がTCP業務である場合、ユーザ端末では、タイマーがタイムオーバーして再送信されるまで待たなければならない。これによって、ネットワーク全体のスループットが降下する。
【０００４】
図１は、関連技術における輻輳型OLTの構造を示すブロック図である。図１にしめすように、二つのOLTのMAC（媒体アクセス制御）チップは、一つのスイッチチップ（SW）を介してバックプレーン（back plane）に接続される。OLT MACチップとスイッチチップとの間のインターフェースはGMIIインターフェースで、ネットワーク側のインターフェース（NNI）と称す。スイッチチップとバックプレーンとの間のインターフェースもGMIIインターフェースで、上りポートと呼ばれる。各OLT MACによりスイッチチップに送信したデータ転送量の総量が1Gbpsを超える場合、SWの上りポートでは輻輳が発生する。この場合、全てのチップのフロー制御機能がイネーブル（Enabling）であれば、スイッチチップは、上り出口に輻輳が発生したので、フロー制御フレームを生成してOLT MACにバックプレッシャーする。関連技術において、OLT MACは、該フロー制御情報をさらにONUにバックプレッシャーせずに、簡単にキャッシュ能力を超えているフレームを廃棄する。
【０００５】
従って、EPONの機能を最適化する際に、フロー制御情報を如何にOLTからONUに有効に伝達するかは非常に重要なこととなっている。従来、既に開示された技術はただ一つ、即ち、烽火通信科学株式有限会社の特許「イーサネット受動型光ネットワークの転送量制御方法及び該方法の用いられた装置」（出願番号：200410070719.9）である。該特許にて利用された方法は、イーサネットのフロー制御メカニズムをOLT MACに取り込んで、拡張されたpauseフレームをOLT MACによってONUに送信することによって、下がりフロー制御情報の伝達を実現する。しかし、該方法は特定のハードウェアによって実現され、従来の802.3ah標準に合致するEPON OLT MACチップに適用することができなく、フロー制御は全てのONUを対象として行うため、優先順位が異なるONUを区別することができないので、実用性及び柔軟性が制限されている。
【０００６】
従って、上記の問題を解決するように、EPONの下がりフロー制御情報を伝達する新規の下がりフロー制御情報伝達方法が要求されている。
【発明の概要】
【発明が解決しようとする課題】
【０００７】
上述した問題を解決するため、本発明は、既存技術におけるEPONシステムがOLT上りポートからの下がりフロー制御情報をONUに伝達することができない問題を解決し、イーサネット受動型光ネットワーク（EPON）の下がりフリー制御情報を伝達するフロー制御情報伝達方法を提供する。
【課題を解決するための手段】
【０００８】
上述した目的を達成するため、本発明の一態様によると、イーサネット受動型光ネットワークの下がりフロー制御情報を伝達する方法であって、光ライン端末の上りポートに輻輳が発生したか否かを検出して、検出結果に基づいてフロー制御マークを設定するステップS402と、フロー制御マークを周期的にチェックして、チェック結果に基づいて対応する処理を行うステップS404と、を含むことを特徴とするフロー制御情報伝達方法を提供する。
【０００９】
本発明によると、ステップS402は、ポートのキャッシュキューの占有率をリアルタイムに算出して、ポートのキャッシュキューの占有率が予定の閾値を超えるか否かを判断して、超えていると判断された場合、フロー制御マークを設定（設置）し、さもないと、フロー制御マークをクリアする、ステップをさらに含む。
【００１０】
この他、本発明によると、ステップS402は、上りポート又はネットワーク側のインターフェースで受信したフロー制御フレームを周期的に統計して、直前の周期に比べて、フロー制御フレームが増えていると、下がりフロー制御マークを1に設定し、反対に、連続する予定数の周期間において、フロー制御フレームが増えていないと、フロー制御マークをクリアして、0に設定する、ステップをさらに含むこともできる。
【００１１】
本発明の実施例によると、フロー制御マークは1bitのレジスタによって実現され、選択的に、フロー制御マークはソフトウェアの変化量によって実現されることもできる。
【００１２】
ステップS404において、現在のフロー制御マークが1であるとチェックされた場合、対応する処理は、具体的に、サービスレベルアグリーメントパラメータに動的な削減を行うことである。
【００１３】
そして、ステップS404において、フロー制御マークが0であるとチェックされた場合、対応する処理は、前に保存したフロー制御マークを読取って、前に保存したフロー制御マークが1であると、サービスレベルアグリーメントパラメータに対して動的な回復を行い、そうでない場合、如何なる処理も行わないことである。
【００１４】
本発明によると、動的な削減は、上りポートに関連付けられた全ての光ネットワークユニットに対して優先順位を付けて、それに基づいて高優先順位チームと低優先順位チームの二つのチームに分けると共に、全ての光ネットワークユニットのサービスレベルアグリーメントの最大帯域の合計が上りポートの利用可能な帯域より小さいように保証するステップAと、この時のフロー制御マークが1であると、低優先順位チーム中の光ネットワークユニットのサービスレベルアグリーメントパラメーターにおける最大帯域を保証帯域まで減らして、1周期を延長するステップBと、この時のフロー制御マークが1であると、第1の予定アルゴリズムに従って、高優先順位チーム中の光ネットワークユニットのサービスレベルアグリーメントパラメーターにおける最大帯域を減らして、1周期を延長するステップCと、フロー制御マークが0に設定されるまで、或いは全ての光ネットワークユニットの最大帯域が保証帯域と同じになるまで、ステップCを繰り返すステップDと、を含む。
【００１５】
本発明によると、第1の予定アルゴリズムは、最大帯域＝現在最大帯域-（元の最大帯域-保証帯域）×X％（Xは配置可能な値）である。
【００１６】
また、動的な回復は、フロー制御マークが0であるとチェックされた場合、高優先順位チーム中の光ネットワークユニットのサービスレベルアグリーメントパラメーターにおける最大帯域を、動的な調整を行う前の初期値に回復して、1周期を延長し、この時のフロー制御マークが依然として0であると、第2の予定アルゴリズムに従って、低優先順位チーム中の光ネットワークユニットのサービスレベルアグリーメントパラメーターにおける最大帯域を増やして、1周期を延長し、フロー制御マークが1になるまで、或いは低優先順位チーム中の光ネットワークユニットのサービスレベルアグリーメントパラメーターにおける最大帯域が動的な調整を行う前の初期値に回復するまで、以上のステップを繰り返す、ことである。
【００１７】
この他、本発明によると、第2の予定アルゴリズムは、最大帯域＝現在最大帯域+（元の最大帯域-保証帯域）×X％（Xは、配置可能な値）、である。
【００１８】
従って、本発明によると、以下の効果を奏することができる。
【００１９】
EPONネットワーク設備がOLTからONUへの下がりフロー制御情報の伝達を支援することができ、EPON機器の機能を強めると共に、EPONネットワークの効率及び柔軟性を向上する。
【００２０】
本発明の他の特徴及びメリットは後述の明細書に記載され、明細書における記載内容によって更に明らかになり、又は本発明を実施することによって更に把握できる。本発明の目的及び他のメリットは、明細書と、特許請求の範囲と図面にて特別に記載された構造によって実現することが可能になる。
【図面の簡単な説明】
【００２１】
【図１】図１は、関連技術における輻輳型OLT構造のブロック図である。
【図２】図２は、EPONシステムのトポロジー図である。
【図３】図３は、本発明に係わる下がりフロー制御情報の伝達を示す図である。
【図４】図４は、本発明に係わる下がりフロー制御伝達方法のフローチャートである。
【図５】図５は、本発明の実施例に係わるソフトウェアスキャン方法による輻輳の検知及びフロー制御マークの設定のフローチャートである。
【図６】図６は、本発明の実施例に係わるフロー制御マークの読取り及び応答処理のスタートのフローチャートである。
【図７】図７は、本発明の実施例に係わるSLAパラメーターの動的な削減のフローチャートである。
【図８】図８は、本発明の実施例に係わるフロー制御マークのクリアを検出して、及びSLAパラメーターを回復するフローチャートである。
【発明を実施するための形態】
【００２２】
ここで説明する図面は本発明に対する理解を深めるためのもので、明細書の一部分であって、本発明の実施例と共に本発明を解釈していて、本発明を不当に限定するためのものではない。
【００２３】
以下、図面を参照して、本発明の好適な実施例を説明する。但し、ここで説明する好適な実施例はただ本発明を説明して解釈するためのもので、本発明を限定するためのものではない。
【００２４】
図２は、EPONシステムのトポロジー図である。図に示すように、一つのOLT202のPONポートには分光器204を介して複数のONU206が接続される。OLT202からONU206への下がりデータ転送方式は、時分割多元接続且つ物理層の放送方式で、即ち、各下がりフレームは全てのONU206のPONポートに送信され、ONU206からOLT202への上りデータ転送方式は、TDMA方式である。
【００２５】
以下、図３を参照して、本発明の基本思想を簡単に説明する。図３は、本発明に係わる下がりフロー制御情報の伝達を示す図である。
【００２６】
図３に示すように、OLTのNNIポートはフロー制御情報を受信した後、SWへのデータの送信を一時的に停止する。このとき、その内部のキャッシュキューの占用率の増加によってフロー制御マークがセットされる。その後、各ONUのSLAパラメーターを動的に削減することによって、各ONUによって取得される上り許可スロットが減少し、即ち、上りデータ転送量が減少する。ONUによって送信される転送量の減少は、直接ONU内部のキャッシュキューの占有率の増加に影響を与え、これによりフロー制御フレームを生成し、UNIポートから送信する。最終的に、OLT NNIポートからONUのUNIポートへの下がりフロー制御情報の伝達を実現する。
【００２７】
総じて言えば、本発明の基本的なステップを図４に示している。本発明の目的を実現しようとする場合、下がりフロー制御情報の伝達方法は以下のステップを含まなければならない：
ステップS402：光ライン端末の上りポートに輻輳が発生したか否かを検出し、検出結果に基づいてフロー制御マークを設定（設置）する。
ステップS404：フロー制御マークを周期的にチェックし、チェック結果に基づいて対応する処理を行う。
【００２８】
ステップS402において、さらに以下のようなステップを含む。即ち、受信したフロー制御フレームの数を統計し、ポートのキャッシュキューの占有率を算出し、ポートのキャッシュキューの占有率が予め規定された閾値を超えるか否かを判断して、超えていると判断された場合、フロー制御マークを設定するが、超えていないと判断された場合、フロー制御マークをクリアする。
【００２９】
選択的に、ステップS402は、さらに以下のようなステップを含む。即ち、上りポート又はネットワーク側のインターフェースによって受信したフロー制御フレームを周期的に統計し、直前の周期に比べて、フロー制御フレームが増えていると、下がりフロー制御マークを1に設定し、反対に、連続する予定量の周期間にフロー制御フレームが増えていない場合、フロー制御マークをクリアして、0に設定する。
【００３０】
図５は、本発明の実施例に係わるソフトウェアスキャン方法による輻輳の検出及びフロー制御マークの設定のフローチャートである。図５に示すように、該プロセスの基本思想は、二種類の方式、即ち、ハードウェアトリガー方式とソフトウェアスキャン方式によって、OLTの上りポートの輻輳状態をチェックすることである。
【００３１】
一、ハードウェアトリガー方式：
ハードウェアは、フロー制御フレームを受信して、ポートのキャッシュキューの占有率がフロー制御のset閾値を超えた後、輻輳指示レジスタ（即ち、下がりフロー制御マーク）を設定するが、この時、該レジスタはただ1bitで輻輳状態を表示すればよい（0−輻輳なし、1−輻輳あり）。
【００３２】
二、ソフトウェアスキャン方式：
下がりフロー制御マークはソフトウェアの変化量である。ソフトウェアにおいて、1プロセスは、上りポートのキャッシュキューの占有率を周期的にチェックすると共に、それに基づいて下がりフロー制御マークを設定する。MACチップがキャッシュキューの占有率のチェックをサポートしない場合、上りポート（又はネットワーク側インターフェース）によって受信したフロー制御フレームの変化に基づいて輻輳が発生したか否かを判断する。
【００３３】
基本的なステップは、以下の通りである。タイマーがタイムオーバーすると周期性スキャンを行うように、ソフトウェアをトリガーするが、その方法は、NNIポートで受信したフロー制御フレームを読取って、直前の周期に比べて増えていると、輻輳が発生したと認め、その後、フロー制御マークをセットする。連続するN個の周期（N個配置可能）の間に新規のフロー制御フレームが増えていないと、輻輳状態が解消されたと認め、フロー制御マークをクリアする。上記の具体的なステップは図５に示す通りである。
【００３４】
ステップS502：受信したフロー制御フレームの統計を読取る。
ステップS504：フロー制御フレームが増えたか否かを判断して、増えている場合に、ステップS506を実行し、増えていない場合に、続いてステップS508を実行する。
ステップS506：フロー制御マークをセットする。
ステップS508：フロー制御回復タイマーを1だけアップする。
ステップS510：この時の計数値が「N」を超えるか否かを判断して、超えていると、ステップS512を実行し、超えていないと、該プロセスを終了する。
ステップS512：フロー制御マークをクリアする。
【００３５】
本発明の実施例によると、フロー制御マークは1bitのレジスタによって実現されるが、選択的に、フロー制御マークをソフトウェアの変化量によって実現することもできる。
【００３６】
図６は、本発明の実施例に係わるフロー制御マークの読取り及び応答処理のスタートのフローチャートである。図６に示すように、プロセスはフロー制御マークを周期的にチェックして、前回状態遷移（state transition）後の状態値を保存する。現在のフロー制御マークが「1」であると、SLAパラメーターの動的な削減をスタートする。そうでない場合、先ず、保存された状態値が「1」であるか否かを判断して、「1」である場合に、SLAパラメーターの回復をスタートする。具体的なステップは以下の通りである。
【００３７】
ステップS602：フロー制御マークを読取る。
ステップS604：現在のフロー制御マークが「1」であるか否かを判断して、「1」である場合に、ステップS606を実行し、「1」でない場合に、ステップS608を実行する。
ステップS606：SLAの動的な削減を行う。
ステップS608：フロー制御マークの元の値を読取る。
ステップS610：元の値が「1」であるか否かを判断して、「1」でない場合に、該プロセスを終了し、「1」である場合に、ステップS612を実行する。
ステップS612：SLA回復を行う。
【００３８】
図７は、本発明の実施例に係わるSLAパラメーターの動的な削減のフローチャートである。動的な削減は、上りポートに関連付けられた全ての光ネットワークユニットについて優先順位をつけ、それに基づいて高優先順位チームと低優先順位チームとの二つのチームに分けると共に、全ての光ネットワークユニットのサービスレベルアグリーメントの最大帯域の合計が上りポートの利用可能な帯域以下となるように保証するステップAと、この時のフロー制御マークが1であると、低優先順位チーム中の光ネットワークユニットのサービスレベルアグリーメントパラメータにおける最大帯域が保証帯域まで減少して、1周期を延長するステップBと、この時のフロー制御マークが依然として「1」であると、第1の予定アルゴリズムに従って、高優先順位チーム中の光ネットワークユニットのサービスレベルアグリーメントパラメータにおける最大帯域を減らして、1周期を延長するステップCと、フロー制御マークが0に設定されるまで、或いは全ての光ネットワークユニットの最大帯域が保証帯域と同じになるまで、ステップCを繰り返すステップDと、を含んでいる。
【００３９】
図７は、動的な削減の実施例の過程を示す図である。該調整には、二つの前提条件が必要であるが、その一つは、該輻輳メッセージと関連つけられたONUについて、異なる優先順位をつけ、優先順位に応じて二つのチームに分けることであって、もう一つは、全てのONUのSLAの最大帯域の合計がSW上りポートの利用可能な帯域以下となるように保証することである。
【００４０】
該動的な削減の基本プロセスは以下のとおりである。
【００４１】
ステップS702：操作段階のマークを読取る。
ステップS704：段階1は、調整待ち低優先順位のONUチームSLA段階であって、段階2は、調整待ち高優先順位のONUチームSLA段階である場合に、現在、どの調整段階にあるかを判断し、もし、現在が第1段階であれば、ステップS706に移行する。
ステップS706：低優先順位チーム中のONUのSLAパラメーターにおける最大帯域を保証帯域まで削減し、1周期を延長して、もし、段階2であれば、ステップS708に移行する。
ステップS708：全ての高優先順位チーム中のONUのSLAの最大帯域を読取る。
ステップS710：最大帯域が保証帯域と同じであるか否かを判断して、同じであると、該プロセスを終了し、同じでないと、ステップS712に移行する。
ステップS712：高優先順位チーム中のONUのSLAパラメーターにおける最大帯域を、現在最大帯域-（元の最大帯域-保証帯域）×X％（Xは配置可能な値）まで同じ比率で削減して、1周期を延長する。フロー制御マークが「0」になるまで、或いは全てのONUの最大帯域が保証帯域と同じになるまで、上記の操作を繰り返す。
【００４２】
図８は、本発明の実施例に係わるフロー制御マークの検出からSLAパラメーター回復までのフローチャートである。図８に示すように、該プロセスは以下のステップを含む。
【００４３】
ステップS802：操作段階のマークを読取る。
ステップS804：段階1は、回復待ち高優先順位のONUチームSLA段階であって、段階2は、回復待ち低優先順位のONUチームSLA段階である場合に、現在、どの回復段階にあるかを判断する。現在、第1段階にあると、ステップS806を実行し、第1段階ではないと、ステップS808を実行する。
ステップS806：高優先順位チーム中のONUのSLAパラメーターにおける最大帯域等をパラメーターの動的な削除を行う前の初期値に回復させて、1周期を延長する。
ステップS808：全ての高優先順位チーム中のONUのSLA最大帯域を読取る。
ステップS810：この時の最大帯域が初期値より小さいか否かを判断して、依然として初期値より小さい場合、ステップS812を実行し、小さくない場合、該プロセスを終了する。
ステップS812：この時、フロー制御マークが依然として「0」であると（即ち、初期値より小さい）、低優先順位チーム中のONUのSLAパラメーターにおける最大帯域を、保証帯域+（元の最大帯域-保証帯域）×X％（Xは、セット可能な値）まで同じ比率で増加して、1周期を延長する。フロー制御マークが「1」になるまで、或いは全ての低優先順位のONUのSLAパラメーターにおける最大帯域がSLAパラメーターの動的な削減操作を行う前の初期値に回復するまで、上記の操作を繰り返す。
【００４４】
このように、上記の下がりフロー制御情報の伝達方法を採用することによって、EPONネットワーク設備がOLTからONUへの下がりフロー制御情報伝達をサポートすることができる。また、本発明の方法により、便利に制御でき、簡単に実現できると共に、EPON機器の機能を強め、EPONネットワークの効率及び柔軟性を向上させる。
【００４５】
上記の内容は本発明の好適な実施例にすぎなく、本発明を限定するためのものではない。当業者であれば、本発明の技術的思想の範囲内において、各種の変更例又は修正例に想到し得ることは明らかである。本発明の精神及び原則の範囲内で行う補正、等同置換、改良などはすべて本発明が保護しようとする範囲内に属する。
【図１】
2010517339.tif 000003
【図２】
2010517339.tif 000004
【図３】
2010517339.tif 000005
【図４】
2010517339.tif 000006
【図５】
2010517339.tif 000007
【図６】
2010517339.tif 000008
【図７】
2010517339.tif 000009
【図８】
2010517339.tif 000010
【国際調査報告】
2010517339.tif 000011
2010517339.tif 000012
2010517339.tif 000013
2010517339.tif 000014
2010517339.tif 000015
2010517339.tif 000016